(57)【要約】【課題】１個のモータから成る１個の駆動源により振動の多様性を可能にした身体運動用振動機を提供する。【解決手段】座部材(1)の幅方向両側に立設した支持手段(4,4)に対して、振動部材(2)の中央の幅方向両側に設けた軸手段(6)を軸支し、第１駆動経路(9)を介して振動部材を前記軸手段の廻りで上下振動させ、第２駆動経路(10)を介して軸手段と共に左右振動させる身体運動用振動機であり、１個の駆動源(8)から両駆動経路(9,10)に回転駆動力を伝達するように構成され、前記第１駆動経路(9)と第２駆動経路(10)のうち、少なくとも一方の駆動経路に駆動力の伝達を接続・断続自在とするクラッチ手段(13)を設け、振動部材の上下振動と左右振動の何れかの単独振動と、上下振動と左右振動の両方を同時に行う複合振動を選択可能とする。【選択図】図３
2019072353.tif 000002
【特許請求の範囲】
【請求項１】
座部材(1)の幅方向両側に立設した支持手段(4,4)に対して、振動部材(2)の中央の幅方向両側に設けた軸手段(6)を軸支することにより、振動部材を前記軸手段の廻りで上下振動自在かつ前記軸手段と共に左右振動自在に支持しており、前記座部材に設置した１個の駆動源(8)から回転駆動力を伝達する第１駆動経路(9)と第２駆動経路(10)を構成し、第１駆動経路(9)の出力部に設けた第１運動変換手段(14)を介して前記振動部材を上下振動させると共に、第２駆動経路(10)の出力部に設けた第２運動変換手段(15)を介して前記振動部材を左右振動させるように構成した身体運動用振動機であり、
前記第１運動変換手段(14)を駆動する第１駆動経路(9)と、前記第２運動変換手段(15)を駆動する第２駆動経路(10)のうち、少なくとも一方の駆動経路に駆動力の伝達を接続・断続自在とするクラッチ手段(13)を設けて成ることを特徴とする身体運動用振動機。
【請求項２】
駆動源(8)により回転駆動される１本の中間駆動軸(12)を共通軸として前記第１駆動経路(9)と第２駆動経路(10)を構成し、
前記第１駆動経路と第２駆動経路の間に位置して前記中間駆動軸(12)を分断すると共に、分断された両軸端をワンウエイベアリング(13a)から成るクラッチ手段(13)により連結しており、
駆動源(8)を正転したときはクラッチ手段(13)が接続された状態で第１駆動経路(9)と第２駆動経路(10)の両方を駆動するが、駆動源(8)を逆転したときはクラッチ手段(13)が断続された状態で第１駆動経路(9)と第２駆動経路(10)の一方を駆動し他方を駆動しないように構成して成ることを特徴とする請求項１に記載の身体運動用振動機。
【請求項３】
前記第１運動変換手段(14)は、第１駆動経路(9)の出力部を形成する第１駆動軸(9b)の回転運動を上下運動に変換する第１偏心カム(14a)により構成され、前記第２運動変換手段(15)は、第２駆動経路(10)の出力部を形成する第２駆動軸(10b)の回転運動を左右運動に変換する第２偏心カム(15a)により構成されており、
前記第１駆動軸(9b)の第１偏心カム(14a)を回転駆動する出力軸部(18b)と、前記第２駆動軸(10b)の第２偏心カム(15a)を回転駆動する出力軸部(19b)のうち、少なくとも一方の出力軸部に、回転駆動力の伝達を接続・断続自在とするクラッチ手段(13)を設け、該クラッチ手段を電気制御するように構成して成ることを特徴とする請求項１に記載の身体運動用振動機。
【発明の詳細な説明】
【技術分野】
【０００１】
本発明は、身体運動用振動機に関する。
【背景技術】
【０００２】
従来、上下に配置した振動部材と座部材を備え、振動部材の中央部の幅方向に沿って配設した中心軸を第１の８字形リンクロッドと第２の８字形リンクロッドにより座部材に支持し、第１モータを第１偏心軸と第３の８字形リンクロッドを介して振動部材の前部に連結することにより該振動部材を上下振動させ、第２モータを第２偏心軸とリンクロッドを介して中心軸に連結することにより該振動部材を左右振動させるように構成した振動機が提案されている。
【先行技術文献】
【特許文献】
【０００３】
【特許文献１】実用新案登録第３１４９０９２号公報
【発明の概要】
【発明が解決しようとする課題】
【０００４】
上記の従来技術は、第２モータを停止した状態で第１モータを駆動することにより振動部材を上下振動させる第１モードが選択され、反対に、第１モータを停止した状態で第２モータを駆動することにより振動部材を左右振動させる第２モードが選択され、更に、第１モータと第２モータを同時に駆動することにより振動部材を上下振動と左右振動の両方を複合させた第３モードが選択され、これにより、多様性のある美容効果が得られると説明されている。
【０００５】
しかしながら、従来技術の場合、第１モータと第２モータの２個の電気モータを必要とするため、コスト高や、振動機全体の重量増を招来する問題がある。
【０００６】
本発明は、このような問題に鑑み、１個のモータから成る１個の駆動源により、振動部材の上下振動と左右振動の何れかの単独振動と、上下振動と左右振動の両方を同時に行う複合振動を選択可能とすることにより、コスト削減と、軽量化に貢献することができる身体運動用振動機の提供を目的としている。
【課題を解決するための手段】
【０００７】
そこで、本発明が手段として構成したところは、座部材の幅方向両側に立設した支持手段に対して、振動部材の中央の幅方向両側に設けた軸手段を軸支することにより、振動部材を前記軸手段の廻りで上下振動自在かつ前記軸手段と共に左右振動自在に支持しており、前記座部材に設置した１個の駆動源から回転駆動力を伝達する第１駆動経路と第２駆動経路を構成し、第１駆動経路の出力部に設けた第１運動変換手段を介して前記振動部材を上下振動させると共に、第２駆動経路の出力部に設けた第２運動変換手段を介して前記振動部材を左右振動させるように構成した身体運動用振動機であり、前記第１運動変換手段を駆動する第１駆動経路と、前記第２運動変換手段を駆動する第２駆動経路のうち、少なくとも一方の駆動経路に駆動力の伝達を接続・断続自在とするクラッチ手段を設けて成る点にある。
【０００８】
本発明の好ましい実施形態は、駆動源により回転駆動される１本の中間駆動軸を共通軸として前記第１駆動経路と第２駆動経路を構成し前記第１駆動経路と第２駆動経路の間に位置して前記中間駆動軸を分断すると共に、分断された両軸端をワンウエイベアリングから成るクラッチ手段により連結しており、駆動源を正転したときはクラッチ手段が接続された状態で第１駆動経路と第２駆動経路の両方を駆動するが、駆動源を逆転したときはクラッチ手段が断続された状態で第１駆動経路と第２駆動経路の一方を駆動し他方を駆動しないように構成している。
【０００９】
本発明の別の実施形態において、前記第１運動変換手段は、第１駆動経路の出力部を形成する第１駆動軸の回転運動を上下運動に変換する第１偏心カムにより構成され、前記第２運動変換手段は、第２駆動経路の出力部を形成する第２駆動軸の回転運動を左右運動に変換する第２偏心カムにより構成されており、前記第１駆動軸の第１偏心カムを回転駆動する出力軸部と、前記第２駆動軸の第２偏心カムを回転駆動する出力軸部のうち、少なくとも一方の出力軸部に、回転駆動力の伝達を接続・断続自在とするクラッチ手段を設け、該クラッチ手段を電気制御するように構成している。
【発明の効果】
【００１０】
本発明によれば、１個のモータから成る１個の駆動源に基づいて、振動部材の上下振動と左右振動の何れかの単独振動と、上下振動と左右振動の両方を同時に行う複合振動を選択することができるので、振動の多様性が確保され、特に、従来技術のように２個のモータを必要とせず、１個のモータで異なる振動モードを可能にするので、コスト削減と、軽量化に大きく貢献することができるという効果がある。
【図面の簡単な説明】
【００１１】
【図１】本発明の第１実施形態に係る振動機に関して、座部材及び駆動機構等と、振動部材及び軸手段等を上下方向に分解状態で示す斜視図である。
【図２】振動部材及び軸手段等を拡大して示す斜視図である。
【図３】座部材及び駆動機構等を拡大して示す斜視図である。
【図４】座部材及び駆動機構等と振動部材及び軸手段等を組付け状態で示す斜視図である。
【図５】第１実施形態の作用に関して、駆動源を正転させたとき、上下振動と左右振動の複合振動が行われる作用を示す斜視図である。
【図６】第１実施形態の作用に関して、駆動源を逆転させたとき、左右振動は行われず、上下振動だけが行われる作用を示す斜視図である。
【図７】本発明の第２実施形態を示しており、駆動源を正転させたとき、上下振動と左右振動の複合振動が行われる作用を示す斜視図である。
【図８】第２実施形態の作用に関して、駆動源を逆転させたとき、上下振動は行われず、左右振動だけが行われる作用を示す斜視図である。
【図９】本発明の第３実施形態を示す斜視図である。
【発明を実施するための形態】
【００１２】
以下図面に基づいて本発明の好ましい実施形態を詳述する。
【００１３】
（第１実施形態）
図１ないし図６は、本発明に係る身体運動用振動機の第１実施形態を示している。
【００１４】
図１ないし図４に示すように、振動機は、座部材１と、振動部材２を備えている。座部材１は、矩形枠フレーム１ａに床板１ｂを敷設しており、後述する駆動源や駆動機構等が床板１ｂに設置される。振動部材２は、矩形フレーム２ａから成り、中央の幅方向両側に位置して矩形フレーム２ａからブラケット３、３を垂設している。
【００１５】
（座部材と振動部材の連結構造）
座部材１は、中央の幅方向両側に位置して矩形フレーム１ａから支持手段４、４を立設しており、該支持手段４に揺動アーム５を介して振動部材２のブラケット３が軸手段６を介して枢結される。揺動アーム５は、下端部が枢軸７を介して支持手段４に枢結され、上端部が軸手段６を介して枢結される。従って、後述するように、振動部材２を上下振動させる際には、振動部材２は軸手段６を中心としてシーソー構造の上下振動を行い、振動部材２を左右振動させる際には、振動部材２は、揺動アーム５を枢軸７の廻りに揺動させることにより、軸手段６と共に左右振動を行う。
【００１６】
しかしながら、座部材１と振動部材２の連結構造は、図示実施形態のような揺動アーム５を使用する他、支持手段４を上方に延出すると共に、左右移動方向に長いガイド孔を設け、該ガイド孔に沿って軸手段６を左右移動自在に挿通させるように構成しても良い。
【００１７】
（座部材における構成）
座部材１は、床板１ｂに１個の電動モータから成る１個の駆動源８を設置し、該駆動源８から回転駆動力を伝達する第１駆動経路９と第２駆動経路１０を構成している。図示実施形態の場合、駆動源８により減速プーリ１１を介して回転駆動される１本の中間駆動軸１２を共通軸として第１駆動経路９と第２駆動経路１０が構成されている。
【００１８】
中間駆動軸１２は、軸長手方向の中間部を分断することにより、第１軸１２ａと第２軸１２ｂを構成し、両軸１２ａ、１２ｂの軸端をワンウエイベアリング１３ａから成るクラッチ手段１３により連結しており、第１軸１２ａに前記減速プーリ１１を装着している。
【００１９】
ワンウエイベアリング１３ａは、入力側の軸部材の正転には連れ廻りするが、逆転には空廻りすることにより出力側の軸部材に回転駆動力を伝達させない公知の機械部品であり、従って、駆動源８を正転することにより第１軸１２ａを正転方向に回転駆動するときは第２軸１２ｂも同時に回転駆動するが、反対に、駆動源８を逆転することにより第１軸１２ａを逆転方向に回転駆動するときは第２軸１２ｂに動力が伝達されず第２軸１２ｂを静止させるように構成されている。
【００２０】
前記第１駆動経路９は、中間駆動軸１２の第１軸１２ａにより減速プーリ９ａを介して回転駆動される第１駆動軸９ｂにより出力部を構成しており、該第１駆動軸９ｂの回転運動を上下運動に変換する第１偏心カム１４ａにより構成された第１運動変換手段１４を設けている。
【００２１】
前記第２駆動経路１０は、中間駆動軸１２の第２軸１２ｂにより減速プーリ１０ａを介して回転駆動される第２駆動軸１０ｂにより出力部を構成しており、該第２駆動軸１０ｂの回転運動を上下運動に変換する第２偏心カム１５ａにより構成された第２運動変換手段１５を設けている。
【００２２】
図示省略しているが、駆動源８を構成する電動モータの電源は、振動機の本体に設けたスイッチや、別体のリモコンスイッチにより、ＯＮ／ＯＦＦと、電動モータの正転／逆転の切換えを可能とするように構成されており、スイッチには、正転と逆転を制御するプログラムを格納することが好ましい。
【００２３】
（振動部材における構成）
振動部材２は、前記第１偏心カム１４ａの枢結片１４ｂに臨んで枢結される従動片１６と、前記第２偏心カム１５ａの枢結片１５ｂに臨んで枢結される従動片１７を設けている。従って、振動部材２は、座部材１の上方から対面させると共に、ブラケット３、３を支持部材４、４に枢結された揺動アーム５、５の外側面に臨ませた状態で、該ブラケット３の挿通孔３ａと揺動アーム５の上側の挿通孔に軸手段６を挿通させることにより、図４に示すように、座部材１の上方位置に連結状態で設置され、この際、第１偏心カム１４ａの枢結片１４ｂと従動片１６の相互と、第２偏心カム１５ａの枢結片１５ｂと従動片１７の相互がそれぞれ枢結される。尚、図例の場合、軸手段６の両端にフランジ付きの筒体６ａが外挿され、該筒体６ａによりブラケット３と揺動アーム５が枢結される。
【００２４】
尚、図示実施形態の場合、軸手段６は、長尺とされた１本の軸部材により構成しているが、短軸とした２本の軸部材により構成し、ブラケット３、３と揺動アーム５、５をそれぞれ同軸上で枢結するように構成しても良い。
【００２５】
以上のようにして上下に連結状態で配設された振動部材２と座部材１は、振動部材２から下側部分をケーシングに収納すると共に、振動部材２の上にユーザが搭乗する床板等を装着することにより、製品としての身体運動用振動機として提供される。
【００２６】
（第１実施形態の作用）
図５は、駆動源８を正転させたときの作用を示している。駆動源８の回転駆動力は中間駆動軸１２に伝達されて第１軸１２ａを正転駆動し、第１軸１２ａの回転駆動力はワンウエイベアリング１３ａにより第２軸１２ｂに伝達される。つまり、第１駆動経路９と第２駆動経路１０の両方が動力伝達機能を稼働する。
【００２７】
これにより、前記第１軸１２ａの回転駆動力により第１運動変換手段１４が上下動させられるので、振動部材２は、軸手段６の軸廻りにシーソー構造で小刻みに上下振動する。
【００２８】
また、前記第２軸１２ｂの回転駆動力により第２運動変換手段１５が左右動させられるので、振動部材２は、揺動アーム５の揺動を介して小刻みに左右振動する。
【００２９】
このため、駆動源８を正転させることにより、振動部材２の上下振動と左右振動の両方を同時に行う複合振動が行われる。
【００３０】
図６は、駆動源８を逆転させたときの作用を示している。駆動源８の回転駆動力は中間駆動軸１２に伝達されて第１軸１２ａを正転駆動するが、第１軸１２ａの回転駆動力はワンウエイベアリング１３ａの空回りにより、第２軸１２ｂに伝達されない。つまり、第１駆動経路９は動力伝達機能を稼働するが、第２駆動経路１０は休止している。
【００３１】
これにより、前記第１軸１２ａの回転駆動力により第１運動変換手段１４が上下動させられるので、振動部材２は、軸手段６の軸廻りにシーソー構造で小刻みに上下振動する。しかしながら、第２駆動経路１０と共に第２運動変換手段１５は休止しているので、振動部材２を左右振動させることはない。
【００３２】
このため、駆動源８を逆転させることにより、振動部材２の上下振動による単独振動だけが行われる。
【００３３】
上述のように、ユーザは、スイッチを操作することにより、好みに応じて、駆動源８の正転と逆転を選択することができ、更には、プログラムを読み出すことにより、正転と逆転の切換えを所定時間毎に自動的に行わせることもできる。
【００３４】
（第２実施形態）
図７及び図８は、本発明に係る身体運動用振動機の第２実施形態を示している。基本的構成は、上述した第１実施形態と同様であるから、同一の技術的構成部分は同一符号で示しており、上述の説明を援用する。
【００３５】
第２実施形態の場合、駆動源８を正転させたとき、第１駆動経路９と第２駆動経路１０の両方の動力伝達機能を稼働させ、振動部材２の上下振動と左右振動の両方を同時に行う複合振動を可能とする点においては第１実施形態と同様であるが、駆動源８を逆転させたとき、第２駆動経路１０の動力伝達機能を稼働させ、第１駆動経路９を休止させるように構成している。
【００３６】
このため、図示のように、ワンウエイベアリング１３ａにより連結された中間駆動軸１２の第１軸１２ａと第２軸１２ｂに関して、第１駆動経路９を第２軸１２ｂから第１駆動軸９ｂに向けて構成し、第２駆動経路１０を第１軸１２ａから第２駆動軸１０ｂに向けて構成している。
【００３７】
これにより、駆動源８を逆転したときは、前記第２軸１２ｂと共に第１駆動経路９を休止させた状態で、第１軸１２ａの回転駆動力により第２運動変換手段１５を左右動させ、振動部材２を揺動アーム５の揺動を介して小刻みに左右振動させることにより、振動部材２の左右振動による単独振動だけが行われる。
【００３８】
（第３実施形態）
図９は、本発明に係る身体運動用振動機の第３実施形態を示している。第３実施形態の場合、中間駆動軸１２は、第１、第２実施形態のように分断されておらず、従って、上述のワンウエイベアリング１３ａは設けられていない。
【００３９】
その一方において、第１駆動経路９を構成する第１駆動軸９ｂは、減速プーリ９ａにより回転駆動される入力軸部１８ａと、第１運動変換手段１４が設けられた出力軸部１８ｂに分断され、両軸部の間において回転駆動力の伝達を接続・断続自在とする電磁クラッチ１３ｂから成るクラッチ手段１３が設けられている。また、同様に、第２駆動経路１０を構成する第１駆動軸１０ｂは、減速プーリ１０ａにより回転駆動される入力軸部１９ａと、第１運動変換手段１５が設けられた出力軸部１９ｂに分断され、両軸部の間において回転駆動力の伝達を接続・断続自在とする電磁クラッチ１３ｃから成るクラッチ手段１３が設けられている。その他の構成は、上述した第１実施形態と同様であるから、同一の技術的構成部分は同一符号で示しており、上述の説明を援用する。
【００４０】
第３実施形態によれば、前記電磁クラッチ１３ｂ、１３ｃを電気制御するスイッチや、プログラムが設けられ、これにより、第１駆動軸９ｂに設けた電磁クラッチ１３ｂのＯＮ／ＯＦＦ（接続／断続）と、第２駆動軸１０ｂに設けた電磁クラッチ１３ｃのＯＮ／ＯＦＦ（接続／断続）を個別に行うことができるので、振動部材２の上下振動と左右振動の何れかの単独振動の選択と、上下振動と左右振動の両方を同時に行う複合振動の選択が可能になり、３種類のモードによる振動の多様性を確保することができる。
【符号の説明】
【００４１】
１  座部材
１ａ  矩形フレーム
１ｂ  床板
２  振動部材
２ａ  矩形フレーム
３  ブラケット
３ａ  挿通孔
４  支持手段
５  揺動アーム
６  軸手段
６ａ  筒体
７  枢軸
８  駆動源
９  第１駆動経路
９ａ  減速プーリ
９ｂ  第１駆動軸
１０  第２駆動経路
１０ａ  減速プーリ
１０ｂ  第２駆動軸
１１  減速プーリ
１２  中間駆動軸
１２ａ  第１軸
１２ｂ  第２軸
１３  クラッチ手段
１３ａ  ワンウエイベアリング
１３ｂ、１３ｃ  電磁クラッチ
１４  第１運動変換手段
１４ａ  第１偏心カム
１４ｂ  枢結片
１５  第２運動変換手段
１５ａ  第２偏心カム
１５ｂ  枢結片
１６、１７  従動片
１８ａ、１９ａ  入力軸部
１８ｂ、１９ｂ  出力軸部
【図１】
2019072353.tif 000003
【図２】
2019072353.tif 000004
【図３】
2019072353.tif 000005
【図４】
2019072353.tif 000006
【図５】
2019072353.tif 000007
【図６】
2019072353.tif 000008
【図７】
2019072353.tif 000009
【図８】
2019072353.tif 000010
【図９】
2019072353.tif 000011